(57)【要約】【課題】水栓と井戸の位置関係によっては除菌器の正面が壁側になるような設置を行わなければならず、メンテナンス性が悪かった。【解決手段】ポンプ側の配水管と接続される流入フランジと、水栓側の配水管と接続される流出フランジと、前記流入フランジと前記流出フランジとを繋ぐ通水管とを備えたユニットと、このユニットを載置するベースとを設け、前記ユニットは前記ベースから着脱自在に設けた。【選択図】  図４
2006346637.tif 000002
【特許請求の範囲】
【請求項１】
水を汲み上げるポンプと水栓との間の配水管に接続され、前記水に除菌用薬液を注入するように構成した除菌器において、
前記除菌用薬液を備蓄する薬液槽と、該薬液槽を上方に載置するベースと、該ベースの上方に載置されたユニットとを有し、
前記ユニットは前記ポンプ側の配水管と接続される流入フランジと、前記水栓側の配水管と接続される流出フランジと、前記流入フランジと前記流出フランジとを繋ぐ通水管と、前記薬液槽の薬液を前記通水管内の水に供給するポンプ装置とを有し、
前記ユニットは前記ベースから着脱自在に設けられていることを特徴する除菌器。
【請求項２】
水を汲み上げるポンプと水栓との間の配水管に接続され、前記水に除菌用薬液を注入するように構成した除菌器において、
前記除菌用薬液を備蓄する薬液槽と、該薬液槽を上方に載置するベースと、該ベースの上方に載置されたユニットとを有し、
前記ユニットは前記ポンプ側の配水管と接続される流入フランジと、前記水栓側の配水管と接続される流出フランジと、前記流入フランジと前記流出フランジとを繋ぐ通水管と、前記薬液槽の薬液を前記通水管内の水に供給するポンプ装置とを有し、
前記ベースには前記ユニットを固定するための凹部が設けられ、
前記凹部及び該凹部に固定される前記ユニットの下方は、前記通水管の軸線方向と直交する中心線に対して左右が対称に形成されていることを特徴する除菌器。
【発明の詳細な説明】
【技術分野】
【０００１】
本発明は、揚水ポンプから揚水される水に薬液を注入する除菌器に関するものである。
【背景技術】
【０００２】
除菌器は、ポンプと水栓との間の配水管にＴ字型の継ぎ手であるチーズ等によって接続され、除菌用薬液を注入するように構成されている。そして、水栓が開くと配水管内の圧力が低下して所定値以下となり、これを圧力スイッチが検知してポンプ及び除菌器に通電して動作するようにしている。このような除菌器は、例えば特開平11-50499号公報（特許文献１）に開示されている。
【０００３】
【特許文献１】特開平11-50499号公報
【発明の開示】
【発明が解決しようとする課題】
【０００４】
従来の除菌器は、除菌器の設置方法については一切考慮されていなかった。例えば除菌器本体に通水部を有するものは、除菌器本体に流入口及び流出口が固定された位置に設けられる。そのため、軒下等に据え付けられる場合が多い揚水ポンプの下流側に除菌器を据え付ける場合、水栓と井戸の位置関係によっては除菌器の正面が壁側になるような設置を行わなければならず、メンテナンス性が悪かった。
【０００５】
本発明の目的は上記課題を解決し、水栓と井戸の位置関係に関係なく、メンテナンス性にすぐれた除菌器を提供することにある。
【課題を解決するための手段】
【０００６】
上記課題を解決するために本発明の特徴とするところは、水を汲み上げるポンプと水栓との間の配水管に接続され、前記水に除菌用薬液を注入するように構成した除菌器において、前記除菌用薬液を備蓄する薬液槽と、該薬液槽を上方に載置するベースと、該ベースの上方に載置されたユニットとを有し、前記ユニットは前記ポンプ側の配水管と接続される流入フランジと、前記水栓側の配水管と接続される流出フランジと、前記流入フランジと前記流出フランジとを繋ぐ通水管と、前記薬液槽の薬液を前記通水管内の水に供給するポンプ装置とを有し、前記ユニットは前記ベースから着脱自在に設けられていることにある。
【０００７】
また本発明の特徴とするところは、水を汲み上げるポンプと水栓との間の配水管に接続され、前記水に除菌用薬液を注入するように構成した除菌器において、前記除菌用薬液を備蓄する薬液槽と、該薬液槽を上方に載置するベースと、該ベースの上方に載置されたユニットとを有し、前記ユニットは前記ポンプ側の配水管と接続される流入フランジと、前記水栓側の配水管と接続される流出フランジと、前記流入フランジと前記流出フランジとを繋ぐ通水管と、前記薬液槽の薬液を前記通水管内の水に供給するポンプ装置とを有し、前記ベースには前記ユニットを固定するための凹部が設けられ、前記凹部及び該凹部に固定される前記ユニットの下方は、前記通水管の軸線方向と直交する中心線に対して左右が対称に形成されていることにある。
【発明の効果】
【０００８】
本発明によれば、除菌器を軒下等に据え付けられる場合であっても、井戸の場所及び据え付けの位置に関係なく、除菌器正面を反壁側に向けることができ、メンテナンス性を向上することができる。
【発明を実施するための最良の形態】
【０００９】
以下、本発明に係る実施例を説明する。
【実施例１】
【００１０】
図１は本発明の実施例に係る除菌器の全体構成を示す図、図２及び図３は除菌器１の設置例を示す図、図４はユニット１５をベース５から取り外した状態を示す図、図５は図１においてユニット１５を逆向きに取り付けた状態を示す全体構成図である。
【００１１】
５０は水を汲み上げるポンプ、１０１はホンプ５０に接続される配水管、１００は水栓、１はポンプ５０で汲み上げられた水に次亜塩素酸ナトリウム等の除菌用薬液を投入する除菌器である。
【００１２】
２はポンプ５０側の配水管１０１に接続され除菌器１の本体内に水を流入させるための流入フランジ、３は水栓１００側の配水管１０１に接続され除菌器１の本体内から水を流出させるための流出フランジ、４は除菌用薬液を備蓄する薬液槽である。
５は除菌器１の下部を構成するベースであり、このベース５の上部に薬液槽４が載置されている。１０はポンプ装置であり、ポンプヘッド１２と、固定板１３に覆われるように保持されポンプヘッド１２を駆動する電動機１１より構成されている。
【００１３】
８は流入フランジ２と流出フランジ３を繋ぐ通水管であり、この通水管８の一部に流量を検出する流量検出部２５が設けられている。
【００１４】
１５はユニットであり、このユニット１５には、流入フランジ２，流出フランジ３，流量検出部２５，ポンプ装置１０，通水管８が一体に形成されている。ベース５には凹部５aが形成されており、この凹部５aにユニット１５の下方を挿入する。６はボルトであり、ユニット１５を挿入した状態でベース５とユニット１５とを固定している。ユニット１５はベース５に着脱自在に設けられている。凹部５aは通水管８の軸線方向と直交する中心線に対して左右が対称に形成されている。また、凹部５aに挿入し固定されるユニット１５の下方も同様に、通水管８の軸線方向と直交する中心線に対して左右が対称に形成されている。このため、流入フランジ２を左，流出フランジ３を右に配置した状態でベース５とユニット１５とを固定したり、逆に流入フランジ２を右，流出フランジ３を左に配置した状態でベース５とユニット１５とを固定することが可能である。
【００１５】
次に動作を説明する。
【００１６】
水栓１００を開けると配水管１０１、ポンプ５０内の圧力が低下し、設定された規定値になるとポンプ５０が運転を開始する。
水栓１００が開かれると、配水管１０１，通水管８内を水が流れ、流量検知部２５が流量を検出し、検出信号を制御部３０へ送ることにより現在の流量を演算し、電動機１１の起動させる。電動機１１はポンプヘッド１２を駆動し、流量に見合った薬液を通水管８内の水に注入する。なお、電動機１１の回転数を制御する手段としてはインバータ制御、位相制御等用いる。
【００１７】
電動機１１により駆動されたポンプヘッド１２は、薬液を薬液槽４から吸上げ、注入チューブ（図示せず）を通り通水管８に設けられた薬液注入口（図示せず）から薬液を注入する。
【００１８】
通水管８内部には流量検出部２５を通過し、戸１０２から揚水された水が流れており、それらの水は、注入された薬液により除菌される。
【００１９】
除菌された水は流出フランジ３を通り配水管１０１を介して水栓１００から流出される。この際、使用する水の量が増加すると除菌器１内部の流量検出部２５が流量の増加を検知し制御部３０へ信号を送り、電動機１１の回転数を上げることによりポンプ装置１１の薬液注入量を増加させ水の流量に応じた除菌を行う。
【００２０】
水の使用を止め、水栓１００を閉じると、流量検出部２５が水の流れが無いことを検知し、制御部３０へ信号を送りポンプ装置１０を停止する。
【００２１】
次に本発明の構成について説明する。
【００２２】
除菌器1はポンプ５０により揚水された水を除菌するためにポンプ５０の下流に配管し使用される。
据え付け場所としては、風雨を防ぐために軒下等が一般的である。図２に示すように、除菌器１の流入フランジ２側の延長上に井戸１０２がある場合は、軒下の壁２０が除菌器１の背面になるため、メンテナンス等の際にも不具合が発生しない。しかしながら、図３に示すように、図２に対して反対の位置に井戸１０２があった場合は、流入フランジ２を井戸１０２側にするため、除菌器１の正面は壁２０側に向けなければならずメンテナンスの際に不具合が発生する恐れがあった。
【００２３】
本発明によれば、ボルト６を外すことにより、通水管８及び流入フランジ２、流出フランジ３、流量検出部２５、ポンプ装置１０を備えたユニット１５がベース５から取り外せる構造になっており、取り外したユニット５を１８０度回転して図５に示すように流入フランジ２、流出フランジ３及びポンプ装置１０の向きを変えた状態でベース５に取り付け使用することが出来る。
【００２４】
また、配水管１０１の場所が狭い場合は、ユニット１５をベース５に固着せず、薬液槽４と離して使用することも可能である。
【図面の簡単な説明】
【００２５】
【図１】本発明の実施例に係る除菌器の全体構成を示す図である。
【図２】図２は除菌器１の設置例を示す図である。
【図３】図３は除菌器１の設置例を示す図である。
【図４】ユニット１５をベース５から取り外した状態を示す図である。
【図５】図５は図１においてユニット１５を逆向きに取り付けた状態を示す全体構成図である。
【符号の説明】
【００２６】
１…除菌器、２…流入フランジ、３…流出フランジ、４…薬液槽、５…ベース、５a…凹部、６…ボルト、８…通水管、１０…ポンプ装置、１１…電動機、１２…ポンプヘッド、１５…ユニット、５０…井戸ポンプ、１００…水栓、１０１…配水管、１０２…井戸。
【図１】
2006346637.tif 000003
【図２】
2006346637.tif 000004
【図３】
2006346637.tif 000005
【図４】
2006346637.tif 000006
【図５】
2006346637.tif 000007